(57)【特許請求の範囲】
【請求項１】
煮汁を掬うための容器状の掬部と、
前記掬部に取り付けられた把手とを備え、
前記掬部が、曲率半径が１００ｍｍ以上である球冠凹面状又は平面状の底部と、前記底部の周囲を取り囲む円環状の外縁部とを有し、前記底部と前記外縁部との境界は角部となるように屈曲して形成されており、
前記外縁部が、前記角部から立設され、上方に向かうにしたがって直径が大きくなるようにテーパ状に形成されており、その高さは前記底部の高さよりも大きく、
前記掬部の底部に、あくを前記掬部に残したまま煮汁を通過させるための直線状に延びた複数のスリットが互いに平行に設けられている、
あく取り。
【請求項２】
隣り合う前記スリットの間の距離が、前記スリットの幅よりも大きく構成されている、
請求項１に記載のあく取り。
【請求項３】
前記複数のスリットは、等間隔に設けられている、
請求項１又は２に記載のあく取り。
【請求項４】
前記スリットは、前記掬部で常温の水を掬ったときに、前記掬部内で一定の水位に達するまで前記常温の水を通過させ、前記掬部内で一定の水位に達すると前記常温の水の通過を停止させる、
請求項１乃至３の何れかに記載のあく取り。
【請求項５】
前記スリットは、幅が０．３〜０．８ｍｍである、
請求項１乃至４の何れかに記載のあく取り。
【請求項６】
前記掬部は、隣り合う前記スリットの間の距離が３〜６ｍｍである、
請求項５に記載のあく取り。
【請求項７】
前記スリットは、前記底部の最も低い位置を通るように設けられている、
請求項１乃至６の何れかに記載のあく取り。
【発明の詳細な説明】
【技術分野】
【０００１】
本発明は、煮汁からあくを除去するためのあく取りに関する。
【背景技術】
【０００２】
鍋及び煮込み料理等を調理する際に、あくが発生する。あくは、煮汁に溶け出した水溶性のタンパク質が熱変性によって凝固した、アミノ酸及び脂質を含む泡状の浮遊物であり、煮汁に混入したままでは苦み、渋み、臭み等を生じ、また外観上も好ましくない。このようなあくを煮汁から除去するために、容器状の掬部と、把手とを備える杓子状のあく取りが広く用いられている（例えば、特許文献１参照）。特許文献１に開示されているあく取りお玉は、掬部の底部が網目状をなしており、この網目状の部分において煮汁からあくを除去するように構成されている。
【先行技術文献】
【特許文献】
【０００３】
【特許文献１】実開昭６４−４３６３号公報
【発明の概要】
【発明が解決しようとする課題】
【０００４】
しかしながら、上述した特許文献１に記載されたあく取りお玉にあっては、掬部の網目状の部分においてあくを濾し取る際に、あくの成分が網目に詰まり易く、頻繁に水洗いをして網目の目詰まりを取り除く必要があった。また、上記網目状の部分に目詰まりが生じると、煮汁まで掬い取ってしまうという問題もあった。
【０００５】
本発明は斯かる事情に鑑みてなされたものであり、その主たる目的は、上記課題を解決することができるあく取りを提供することにある。
【課題を解決するための手段】
【０００６】
上述した課題を解決するために、本発明の一の態様のあく取りは、煮汁を掬うための容器状の掬部と、前記掬部に取り付けられた把手とを備え、前記掬部が、曲率半径が１００ｍｍ以上である球冠凹面状又は平面状の底部と、前記底部の周囲を取り囲む円環状の外縁部とを有し、前記底部と前記外縁部との境界は角部となるように屈曲して形成されており、 前記外縁部が、前記角部から立設され、上方に向かうにしたがって直径が大きくなるようにテーパ状に形成されており、その高さは前記底部の高さよりも大きく、前記掬部の底部に、あくを前記掬部に残したまま煮汁を通過させるための直線状に延びた複数のスリットが互いに平行に設けられている。
【０００７】
この態様において、隣り合う前記スリットの間の距離が、前記スリットの幅よりも大きく構成されていてもよい。
【０００８】
上記態様において、前記複数のスリットは、等間隔に設けられていてもよい。
【０００９】
上記態様において、前記スリットは、前記掬部で常温の水を掬ったときに、前記掬部内で一定の水位に達するまで前記常温の水を通過させ、前記掬部内で一定の水位に達すると前記常温の水の通過を停止させるように構成されていてもよい。
【００１０】
上記態様において、前記スリットは、幅が０．３〜０．８ｍｍとされていてもよい。
【００１１】
上記態様において、前記掬部は、隣り合う前記スリットの間の距離が３〜６ｍｍとされていてもよい。
【００１３】
上記態様において、前記掬部は、前記底部が凹面状をなしていてもよい。
【００１４】
上記態様において、前記スリットは、凹面状をなす前記底部の最も低い位置を通るように設けられていてもよい。
【発明の効果】
【００１５】
本発明に係るあく取りによれば、従来に比して効率よく煮汁からあくを除去することが可能となる。
【図面の簡単な説明】
【００１６】
【図１】実施の形態１に係るあく取りの構成を示す斜視図。
【図２】実施の形態１に係るあく取りの構成を示す正面図。
【図３】実施の形態１に係るあく取りの構成を示す右側面図。
【図４】実施の形態１に係るあく取りの構成を示す平面図。
【図５】図４のＡ−Ａ断面図。
【図６】実施の形態２に係るあく取りの構成を示す平面図。
【図７】実施の形態３に係るあく取りの構成を示す平面図。
【図８】実施の形態４に係るあく取りの構成を示す平面図。
【図９】実施の形態５に係るあく取りの構成を示す平面図。
【発明を実施するための形態】
【００１７】
以下、本発明の好ましい実施の形態を、図面を参照しながら説明する。
【００１８】
（実施の形態１）
図１は、本実施の形態に係るあく取りの構成を示す斜視図、図２は、同じく正面図、図３は、同じく右側面図、図４は、同じく平面図である。
【００１９】
本実施の形態に係るあく取り１は、掬部２と、把手３とを備えている。掬部２は、容器状をなしており、煮汁を掬うために用いられる。把手３は、その一端が掬部２の外縁部の一箇所から延設された棒状の部材であり、ユーザが把持するために用いられる。かかるあく取り１は、ステンレス鋼により構成されている。
【００２０】
掬部２の構成についてさらに詳しく説明する。図５は、図４の掬部２のＡ−Ａ断面図である。掬部２は、平面視において円形の皿状をなしており、底部２１と当該底部２１の周囲を取り囲む外縁部２２とを有している。底部２１は、当該底部の中央を頂点とした球冠状に湾曲しており、上方に開口した凹状をなしている。かかる底部２１の曲率半径は、１５０ｍｍとされている。
【００２１】
掬部２には、複数（７つ）のスリット２３が設けられている。各スリット２３は直線状に延びており、それぞれの幅が約０．５ｍｍとされている。各スリット２３は、互いに平行に、且つ等間隔に設けられている。隣り合う２つのスリット２３の間の距離（中心間距離）は、４ｍｍとされている。つまり、隣り合う２つのスリット２３の間の金属部分の幅は３．５ｍｍである。また、図４に示すように、各スリット２３は、平面視において掬部２の中心から把手３へ延びる方向に対して４５°の方向に延設されている。
【００２２】
各スリット２３は、底部２１の大きさに合わせた長さに設定されている。即ち、各スリット２３の端部は、平面視において円形をなす底部２１と外縁部２２との境界２４（図４参照）の若干内側に位置づけられる。このため、底部２１の中央付近を通るように設けられたスリット２３は長く、底部２１の中央から離れた位置に設けられたスリット２３ほど短くなっている。このように構成することで、底部２１の概ね全体に満遍なくスリット２３が設けられ、底部２１の特定の箇所にスリット２３が偏在することがない。
【００２３】
掬部２は、底部２１の外周（即ち境界２４）において屈曲され、それより外側の部分が外縁部２２となっている。つまり、外縁部２２は、平面視において円環状をなしている。図３及び図５等に示す通り、外縁部２２は、上方に向かうにしたがって直径が大きくなるようにテーパ状に形成されている。かかる外縁部２２は、水平面に対する傾斜角が、境界２４の付近における底部２１の水平面に対する傾斜角よりも大きくなっている。つまり、底部２１が緩やかな曲面によって底の浅い凹状に形成されているのに対して、外縁部２２は急角度で立設されている。このため、外縁部２２の高さは底部２１の高さに比べて大きく、外縁部２２が設けられていることにより掬部２は底の深い皿状となっている。
【００２４】
上記のような掬部２が製造される際、まず掬部２の材料となるステンレス鋼の板材がプレス加工により湾曲されて、スリット２３のない底部２１及び外縁部２２が形成される。その後、スリット２３のない状態の底部２１に、プレス加工によりスリット２３が形成される。プレス加工では、上記のような細い幅のスリット２３を、曲率の大きな曲面に湾曲された板材に形成することはできない。本実施の形態においては、上記のように底部２１を緩やかな曲面に形成しているので、プレス加工によってスリット２３を形成することが可能となる。また、プレス加工以外の加工方法で上記のような細い幅のスリット２３をステンレス鋼に形成することは困難である。
【００２５】
次に、把手３の構成について説明する。把手３は、掬部２と同様にステンレス鋼によって構成されている。把手３は、細長い板棒状をなしており、その一端が掬部２の外縁部２２の外面に溶接により接合された接合部３１となっている。かかる把手３は、当該接合部３１の上端、即ち外縁部２２の上端の位置において屈曲されており、接合部３１の上端より上側は概ね鉛直に立ち上がった首部３２となっている。また把手３は、首部３２の上端の位置において再び屈曲され、首部３２の上端よりも上側の部分は、接合部３１と概ね平行なグリップ部３３となっている。グリップ部３３は、首部３２との接続部分（下端）においては首部３２と同一の幅となっており、下端から途中部分までは上方に向かうにしたがって幅が大きくなり、当該途中部分からさらに上側（ユーザが握る部分）は概ね一定の幅とされている。
【００２６】
上述したような構成のあく取り１の掬部２によって常温の水を掬った場合、掬われた水の一部はスリット２３を通って掬部２から流れ落ちるが、掬部２内で一定の水位に到達すると、掬部２から水の流出が止まる。これは次のような理由によるものと考えられる。スリット２３において水に表面張力が働くが、水が掬われた直後は掬部２内に収容された水の量が多く、水の重量が表面張力に打ち勝ってスリット２３から水が流れ落ちる。水が掬部２から流出すると、掬部２内の水の重量が減少し、一定の水位に到達したときに水の表面張力と水の重量とが釣り合い、それ以上水が流出しなくなる。つまり、スリット２３の幅０．５ｍｍは、このような作用を生じるものである。
【００２７】
上記のようなあく取り１を使用してあくを煮汁から除去する場合、ユーザは把手３のグリップ部３３を把持して、掬部２を煮汁の中に入れ、そこからあく取り１を上方へ持ち上げることで掬部２に煮汁を掬い上げる。容器状の掬部２には煮汁と共にあくが掬われるが、スリット２３によって煮汁が掬部２から流れ落ちる。スリット２３において煮汁に表面張力が働くが、煮汁は温度が高く、また種々の成分が含まれているため常温の水に比べて表面張力が小さいと考えられる。このため、スリット２３からは概ね全ての煮汁が流れ落ちる。あくは泡状であり、煮汁に浮遊しているため、全ての煮汁が掬部２から流れ落ちるまで掬部２上に存在する。全ての煮汁が掬部２から流れ落ちた後にも、水に比べて比重が非常に小さい泡状のあくの殆んどはスリット２３を通過せず、掬部２から流れ落ちることはない。また、隣り合うスリット２３の間にはスリット２３に比べて大きな面積の金属部分が存在するため、この部分に多くのあくが付着し、スリット２３を通過する粒状のあくが存在するとしても、その量は極僅かである。このように、本実施の形態に係るあく取り１によれば、従来に比して効率的にあくを煮汁から除去することができる。
【００２８】
また、スリット２３は長手方向に長いため、掬部に網目状部分を有する従来のあく取りの網目に比べて開口面積が大きく、あくによって目詰まりが生じることがない。したがって、ユーザは目詰まりを解消するために頻繁にあく取り１を水洗いする必要がなく、従来に比してユーザの手間を軽減することができる。
【００２９】
また、外縁部２２を設けることによって底の深い皿状の掬部２を構成したので、鍋料理又は煮物料理等の具材等を掬部２によって安定して掬うこともできる。また、底部２１を凹面状に構成したので、煮汁を掬ったときに当該底部２１の最も低い位置（中央）に煮汁が集まることになる。中央を通るようにスリット２３が設けられているため、中央に集められた煮汁は効率的にスリット２３から流れ落ち、煮汁を残すことなくあくのみを掬部２に残すことができる。
【００３０】
さらに、底部２１は曲率半径１５０ｍｍの球冠凹面状であり、緩やかな曲面となっているので、底部２１の中央に煮汁が集中しすぎることがない。底部２１の曲率半径が小さすぎると、底部２１の傾斜が大きくなることから、煮汁が渦となって流れて中央に過度に集中し、スリット２３のうち底部２１の中央に位置する部分から多くの煮汁が勢いよく流れ出ることになる。このため、煮汁と共にあくもスリット２３から流れ落ちることになり、効率的に煮汁からあくを除去することができなくなる。本実施の形態に係るあく取り１では、底部２１の曲率半径１５０ｍｍとし、底部２１を緩やかな曲面としたので、煮汁を掬ったときに掬部２において煮汁の渦が生じることがなく、スリット２３の全体から満遍なく煮汁が排出され、効率的にあくを煮汁から除去することができる。このような観点から、底部２１の曲率半径は１００ｍｍ以上とすることが好ましい。
【００３１】
（実施の形態２）
図６は、本実施の形態に係るあく取りの構成を示す平面図である。本実施の形態に係るあく取り２００は、掬部２の底部２１において、７つのスリット２２３のそれぞれが、平面視において掬部２の中心から把手３へ延びる方向と平行に延設されている。本実施の形態に係るあく取り２００のその他の構成は、実施の形態１に係るあく取り１の構成と同様であるので、その説明を省略する。
【００３２】
（実施の形態３）
図７は、本実施の形態に係るあく取りの構成を示す平面図である。本実施の形態に係るあく取り３００は、掬部２の底部２１において、７つのスリット３２３のそれぞれが、平面視において掬部２の中心から把手３へ延びる方向と直交する方向に延設されている。本実施の形態に係るあく取り３００のその他の構成は、実施の形態１に係るあく取り１の構成と同様であるので、その説明を省略する。
【００３３】
（実施の形態４）
図８は、本実施の形態に係るあく取りの構成を示す平面図である。本実施の形態に係るあく取り４００は、掬部２の底部２１に４つのスリット４２３が設けられている。これらのスリット４２３は、平面視において掬部２の中心から把手３へ延びる方向に対して４５°の方向に延設されている。本実施の形態に係るあく取り４００のその他の構成は、実施の形態１に係るあく取り１の構成と同様であるので、その説明を省略する。
【００３４】
本実施の形態に係るあく取りにおいては、凹面状の底部２１において最も低い位置である中央を挟むように２本のスリット２３が設けられている。凹面状の底部２１においては、掬われた煮汁が中央に集まるが、煮汁が中央に集められる際に多くの煮汁はスリット２３から流れ落ちる。また中央に少量の煮汁が残ったとしても、両側にスリット２３が配置されているので、掬部２が僅かに傾けられただけで、一箇所に集められた煮汁の全てが傾けられた方向へ移動し、スリット２３から流れ落ちることになる。このように、本実施の形態に係るあく取りにおいても、中央に集められた煮汁が効率的にスリット２３から流れ落ち、煮汁を残すことなくあくのみを掬部２に残すことができる。
【００３５】
（実施の形態５）
図９は、本実施の形態に係るあく取りの構成を示す平面図である。本実施の形態に係るあく取り５００は、掬部２の底部２１に５つのスリット５２３が設けられている。これらのスリット５２３は、平面視において掬部２の中心から把手３へ延びる方向に対して４５°の方向に延設されている。また、底部２１の各スリット５２３の間には、複数の孔５２５が設けられている。これらの孔５２５のそれぞれは、直径が０．７ｍｍの円形とされている。本実施の形態に係るあく取り５００のその他の構成は、実施の形態１に係るあく取り１の構成と同様であるので、その説明を省略する。
【００３６】
（その他の実施の形態）
上記の実施の形態１〜３においては、スリット２３，２２３，３２３の数を７つとし、実施の形態４においては、スリット４２３の数を４つとし、実施の形態５においては、スリット５２３の数を５つとしたが、これに限定されるものではなく、スリットの数はいくつであってもよい。但し、隣り合うスリット間の距離が、スリットの幅よりも大きくなるようにすることが好ましい。
【００３７】
また、スリット間の距離が大きければ、金属部分に多くのあくが付着することになるが、スリット間の距離が大きすぎると、金属部分にあくがこびりつき易く、あく取りを水で濯いだ程度ではこびりついたあくを除去しきれず、その後のあく取り作業に支障を来す場合がある。このため、スリット間の距離（中央間距離）は６ｍｍ以下とすることが好ましい。また、スリット間の距離を小さくし過ぎると、スリットの加工が困難となる場合がある。よって、加工のし易さの観点から、スリット間の距離（中央間距離）は３ｍｍ以上とすることが好ましい。
【００３８】
また、上記の実施の形態１〜５においては、複数の平行なスリット２３，２２３，３２３，４２３，５２３を等間隔に設ける構成について述べたが、これに限定されるものではない。隣り合うスリット間の間隔を異ならせるようにしてもよい。
【００３９】
また、上記の実施の形態１〜５においては、複数のスリット２３，２２３，３２３，４２３，５２３を平行に設ける構成について述べたが、これに限定されるものではない。各スリットを異なる方向へ延びるように設けてもよい。また、複数のスリットを互いに交差するように設けることもできる。
【００４０】
また、上記の実施の形態１〜５においては、スリット２３，２２３，３２３，４２３，５２３の幅を０．５ｍｍとしたが、これに限定されるものではない。上述したように、常温の水を掬部２に掬った場合、掬われた水の一部がスリットを通って掬部２から流れ落ち、掬部２内で一定の水位に到達すると、掬部２から水の流出が止まるようなスリットであれば、その幅は問わない。上記の観点からは、スリットの幅を０．８ｍｍ以下とすることが好ましい。また、加工のし易さの観点から、スリットの幅を０．３ｍｍ以上とすることが好ましい。
【００４１】
また、上記の実施の形態５においては、掬部２の底部２１に複数の円形の孔５２５を設ける構成について述べたが、これに限定されるものではない。円形以外の形状、例えば、楕円形、長円形、多角形、星型等の孔を設ける構成としてもよい。また、上記の実施の形態５においては、孔５２５の直径を０．７ｍｍとしたが、これに限定されるものではない。他の直径の孔とすることもできる。但し、当該孔からあくが流れ落ちることを防止するために、孔の直径を２ｍｍ以下とすることが好ましい。また、加工のし易さの観点から、孔の直径を０．３ｍｍ以上とすることが好ましい。
【００４２】
また、上記の実施の形態１〜５においては、スリット２３，２２３，３２３，４２３，５２３を直線状としたが、これに限定されるものではない。掬部２の底部２１に波状、円弧状等の曲線状のスリットを設けてもよい。また、１つの渦巻状のスリットを渦巻の中心が底部２１の中央に位置するように設けることもできる。また、折れ線状のスリットを設けることもできる。
【００４３】
また、上記の実施の形態１〜５においては、底部２１を凹状とする構成について述べたが、これに限定されるものではなく、平面状としてもよい。また、実施の形態１〜５においては、曲率半径１５０ｍｍによって球冠状に湾曲した底部２１を設ける構成について述べたが、これに限定されるものではない。底部の曲率はこれ以外であってもよい。但し、スリットの加工のし易さから、１００ｍｍ以上の曲率半径とすることが好ましい。
【００４４】
また、上記の実施の形態１〜５においては、掬部２に底部２１と外縁部２２とを設ける構成について述べたが、これに限定されるものではない。掬部を途中で屈曲させることなく、緩やかな曲面による皿状に構成してもよい。また、この場合、掬部の底部にのみスリットを設けることもできるし、掬部の縁の近傍までスリットを延ばし、掬部の全体にスリットを設けることもできる。
【００４５】
また、上記の実施の形態１〜５においては、あく取り１，２００，３００，４００，５００の材料をステンレス鋼としたが、これに限定されるのではない。合成樹脂、ステンレス鋼以外の炭素鋼、アルミニウム、チタン、セラミックス等、調理器具として使用可能な材料であれば、他の材料によってあく取りを構成してもよい。また、掬部２と把手３とを異なる材料によって構成してもよい。
【産業上の利用可能性】
【００４６】
本発明に係るあく取りは、煮汁からあくを除去するための杓子状のあく取り等として有用である。
【符号の説明】
【００４７】
１，２００，３００，４００，５００  あく取り
２  掬部
３  把手
２１  底部
２２  外縁部
２３，２２３，３２３，４２３，５２３  スリット
２４  境界
３１  接合部
３２  首部
３３  グリップ部
５２５  孔
【図１】
0005864843.tif 000002
【図２】
0005864843.tif 000003
【図３】
0005864843.tif 000004
【図４】
0005864843.tif 000005
【図５】
0005864843.tif 000006
【図６】
0005864843.tif 000007
【図７】
0005864843.tif 000008
【図８】
0005864843.tif 000009
【図９】
0005864843.tif 000010